(57)【要約】【課題】一方向に配列する複数の蓄電モジュールと、蓄電モジュール同士を接続する導電板を含む蓄電装置において、蓄電モジュールおよび導電板に加えられる拘束力が不十分となることが抑制された蓄電装置を提供する。【解決手段】蓄電装置は、一方向に向けて配列する複数の蓄電ユニット５７と、蓄電ユニット５７の間に配置され、隣り合う蓄電ユニット５７を電気的に接続する導電板５６とを備え、導電板５６は、一方向に弾性変形可能に形成された。【選択図】図５
2019216005.tif 000002
【特許請求の範囲】
【請求項１】
一方向に向けて配列する複数の蓄電ユニットと、
前記蓄電ユニットの間に配置され、隣り合う前記蓄電ユニットを電気的に接続する導電板と、
を備え、
前記導電板は、前記一方向に弾性変形可能に形成された、蓄電装置。
【発明の詳細な説明】
【技術分野】
【０００１】
本開示は、蓄電装置に関する。
【背景技術】
【０００２】
特開２０１１−１５１０１６号公報に記載されたバイポーラ電池は、積層された複数のバイポーラ電極と、各バイポーラ電極の外周縁部に形成された樹脂部とを含む。
【０００３】
そして、特開２０１１−１５１０１６号公報には、上記のバイポーラ電池をハイブリッド車両、電気自動車および燃料電池車両などの蓄電装置として採用する場合には、複数のバイポーラ電池を直列に接続することが記載されている。
【先行技術文献】
【特許文献】
【０００４】
【特許文献１】特開２０１１−１５１０１６号公報
【発明の概要】
【発明が解決しようとする課題】
【０００５】
複数のバイポーラ電池を電気的に接続する場合において、各バイポーラ電池を一方向に配列させて、隣り合うバイポーラ電池の間に導電板を配置することで、隣り合うバイポーラ電池を電気的に接続する。
【０００６】
そして、複数のバイポーラ電池および導電板を交互に配列させた状態で拘束して、高出力の電池ユニットを形成する。
【０００７】
その一方で、バイポーラ電池および導電板の積層体を拘束すると、拘束力によってバイポーラ電池が変形したり、バイポーラ電池などの寸法バラツキによって、積層体に加えられる拘束力が不十分となる場合がある。
【０００８】
本開示は、上記のような課題に鑑みてなされたものであって、その目的は、一方向に配列する複数の蓄電モジュールと、蓄電モジュール同士を接続する導電板を含む蓄電装置において、蓄電モジュールおよび導電板に加えられる拘束力が不十分となることが抑制された蓄電装置を提供することである。
【課題を解決するための手段】
【０００９】
本開示に係る蓄電装置は、一方向に向けて配列する複数の蓄電ユニットと、蓄電ユニットの間に配置され、隣り合う蓄電ユニットを電気的に接続する導電板とを備え、導電板は、一方向に弾性変形可能に形成された。
【００１０】
上記の蓄電装置によれば、製造ばらつきなどにより蓄電ユニットに寸法誤差が生じたり、経時的に蓄電ユニットが変形したとしても、導電板が弾性変形することで、蓄電ユニットおよび導電板を拘束する拘束力が不十分となることを抑制することができる。
【発明の効果】
【００１１】
本開示に係る蓄電装置によれば、一方向に配列する複数の蓄電モジュールと、蓄電モジュール同士を接続する導電板を含む蓄電装置において、蓄電モジュールおよび導電板に加えられる拘束力が不十分となることを抑制することができる。
【図面の簡単な説明】
【００１２】
【図１】組電池１およびその周囲の構成を示す斜視図である。
【図２】蓄電装置３を示す分解斜視図である。
【図３】蓄電スタック２５を示す分解斜視図である。
【図４】蓄電スタック２５を示す側面図である。
【図５】蓄電ユニット５７を示す断面図である。
【図６】蓄電ユニット５７および導電板５８を示す斜視図である。
【図７】長側面６４側から蓄電スタック２５を視たときの側面図であり、蓄電スタック２５の一部を示す側面図である。
【図８】導電板５８を示す側面図である。
【図９】導電板５８を示す分解斜視図である。
【図１０】蓄電装置３を示す断面図であり、導電板５８を通る位置における断面図である。
【図１１】蓄電スタック２５に拘束力が加えられた後の状態における導電板５８およびその周囲の構成を示す側面図である。
【図１２】蓄電スタック２５に拘束力Ｆなどの外力が加えられていない状態における側面図である。
【図１３】高さ方向Ｈが所定寸法よりも小さい蓄電ユニット５７Ａを含む蓄電スタック２５Ａにおける側面図である。
【図１４】導電板５８の第１変形例である導電板５８Ａを示す側面図である。
【図１５】導電板５８の第２変形例である導電板５８Ｂを示す側面図である。
【図１６】導電板５８の第３変形例である導電板５８Ｃを示す分解斜視図である。
【図１７】導電板５８Ｃが設けられた蓄電スタック２５を示す側面図である。
【図１８】第４変形例に係る導電板５８Ｄを示す側面図である。
【発明を実施するための形態】
【００１３】
図１から図１８を用いて、本実施の形態に係る蓄電装置について説明する。図１から図１８に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
【００１４】
図１は、組電池１およびその周囲の構成を示す斜視図である。本実施の形態に係る組電池１は、車両のフロアパネル１００の上面に設けられている。
【００１５】
組電池１は、ベース板２と、蓄電装置３と、送風機４と、冷却ダクト５と、ジャンクションボックス６と、監視ユニット７とを備える。
【００１６】
ベース板２は、フロアパネル１００の上面に固定されている。蓄電装置３は、略直方体形状に形成されている。蓄電装置３は、下面１０と、上面１１と、端側面１２および端側面１３と、長側面１４，１５とを含む。端側面１２および端側面１３は、蓄電装置３の長手方向Ｌに配列しており、長側面１４および長側面１５は、蓄電装置３の幅方向Ｗに配列している。
【００１７】
送風機４およびジャンクションボックス６は、蓄電装置３の端側面１２側に設けられている。ジャンクションボックス６は、送風機４および蓄電装置３の間に配置されている。
【００１８】
送風機４は、中空状のケース８と、ケース８内に収容されたファン９とを含む。ケース８には、吸気口８ａおよび供給口８ｂが形成されている。供給口８ｂは蓄電装置３の端側面１２に向けて開口している。
【００１９】
冷却ダクト５の一端は送風機４の供給口８ｂに接続されており、冷却ダクト５の他端は蓄電装置３の端側面１２に接続されている。なお、供給口８ｂは、ジャンクションボックス６よりも上方に位置しており、冷却ダクト５は、ジャンクションボックス６の上方を通って、蓄電装置３に接続されている。
【００２０】
そして、ファン９が駆動することで、吸気口８ａから空気が吸入され、供給口８ｂおよび冷却ダクト５を通して、冷却風が蓄電装置３内に供給される。
【００２１】
蓄電装置３の端側面１２には、電力端子１６および電力端子１７が設けられている。電力端子１６には電力配線１８が接続されており、電力端子１７には電力配線１９が接続されている。電力配線１８，１９は、ジャンクションボックス６に接続されている。
【００２２】
監視ユニット７は、蓄電装置３の端側面１３側に配置されており、監視ユニット７には、複数の配線２０が接続されている。
【００２３】
図２は、蓄電装置３を示す分解斜視図である。蓄電装置３は、蓄電スタック２５と、蓄電ケース２６と、絶縁部材２７，２８とを含む。
【００２４】
蓄電ケース２６は、蓄電スタック２５および絶縁部材２７，２８を内部に収容している。蓄電ケース２６は、底板３０と、天板３１と、端側板３２，３３と、長側板３４，３５とを含む。図１および図２において、底板３０は、蓄電装置３の下面１０に配置されており、天板３１は上面１１に配置されている。端側板３２，３３は、端側面１２，１３に配置されており、長側板３４，３５は、長側面１４，１５に配置されている。なお、底板３０、天板３１、端側板３２，３３および長側板３４，３５は、鉄などによって形成されている。
【００２５】
図２に戻って、端側板３２の側面には複数の開口部４０が形成されている。なお、複数の開口部４０のうち、最も長側板３４側に位置する開口部４０Ａには、図１に示す冷却ダクト５が挿入されている。端側板３３にも複数の開口部４１が形成されており、長側板３５にも複数の開口部４３が形成されている。長側板３４には、１つの開口部４２が形成されており、この開口部４２は、端側板３３の近傍に形成されている。
【００２６】
底板３０および天板３１は板状に形成されている。底板３０および天板３１は、複数のボルト４５，４６によって、端側板３２，３３および長側板３４，３５に固定されている。
【００２７】
絶縁部材２７は、底板３０の上面に設けられており、絶縁部材２８は、天板３１の下面に設けられている。蓄電スタック２５は、絶縁部材２７および絶縁部材２８の間に配置されており、絶縁部材２７，２８によって、蓄電スタック２５と、底板３０および天板３１との間の絶縁性が確保されている。
【００２８】
蓄電スタック２５は、略直方体形状に形成されている。蓄電スタック２５は、下面６０と、上面６１と、端側面６２，６３と、長側面６４，６５とを含む。電力端子１６，１７は、端側面６２に形成されている。
【００２９】
図３は、蓄電スタック２５を示す分解斜視図であり、図４は、蓄電スタック２５を示す側面図である。蓄電スタック２５は、集電板５５，５６と、複数の蓄電ユニット５７と、複数の導電板５８とを含む。
【００３０】
集電板５５は、蓄電スタック２５の下面６０に配置されており、集電板５６は、蓄電スタック２５の上面６１に配置されている。集電板５５および集電板５６は、板状に形成されている。電力端子１６は、端側面６２側に位置する集電板５５の辺部に接続されている。電力端子１７は、集電板５６の外周辺のうち端側面６２側に位置する辺部に接続されている。
【００３１】
高さ方向Ｈに配列する複数の蓄電ユニット５７および導電板５８が集電板５５および集電板５６の間に配置されている。
【００３２】
複数の蓄電ユニット５７が高さ方向（一方向）Ｈに間隔をあけて配列しており、各蓄電ユニット５７の間に導電板５８が配置されている。さらに、導電板５８は、集電板５５の上面に配置されると共に、集電板５６の下面に配置されている。導電板５８は、アルミニウムや銅などの金属によって形成されており、高さ方向Ｈに隣り合う蓄電ユニット５７を電気的に直列に接続している。
【００３３】
図５は、蓄電ユニット５７を示す断面図である。蓄電ユニット５７は、複数のバイポーラ電極板７５と、枠体７６と、複数のセパレータ８３とを含む。バイポーラ電極板７５は、高さ方向Ｈに間隔をあけて配置されており、各バイポーラ電極板７５の間にセパレータ８３が配置されている。
【００３４】
各バイポーラ電極板７５は、電極板７７と、正極層７８と、負極層７９とを含む。電極板７７は、ニッケルなどの金属材料によって形成されている。負極層７９は負極活物質を含み、負極活物質としては水素吸着合金などが採用される。正極層７８は、正極活物質を含み、正極活物質としては、水酸化ニッケルなどが採用される。電極板７７の外周縁部８０は、正極層７８および負極層７９が形成されていない未塗布部とされている。
【００３５】
枠体７６は、枠体８１および枠体８２を含む。枠体８１は、電極板７７の外周縁部８０を覆うように形成されており、枠体８１は外周縁部８０に沿って環状に形成されている。
【００３６】
枠体８１は、各電極板７７に設けられており、複数の枠体８１が高さ方向Ｈに配列している。そして、枠体８２は、蓄電ユニット５７の上端側に位置する枠体８１に係合すると共に、蓄電ユニット５７の下端側に位置する枠体８１に係合している。さらに、枠体８２は、積層された枠体８１の周面を覆うように形成されている。
【００３７】
セパレータ８３は、シート状に形成されている。セパレータ８３は、たとえば、ポリオレフィン系樹脂から形成された多孔質フィルム等からなる織布および不織布等から形成されている。
【００３８】
上記のように構成された蓄電ユニット５７において、高さ方向Ｈに隣り合う電極板７７と、枠体８１とによって、収容空間８４が形成されている。
【００３９】
この収容空間８４内には、セパレータ８３と、正極層７８と、負極層７９と、図示されていない電解液が配置されている。電解液はたとえば、水酸化カリウム水溶液などのアルカリ溶液などである。
【００４０】
そして、セパレータ８３と、負極層７９と、正極層７８と、電解液とによって蓄電セル８５が形成されている。蓄電セル８５は、高さ方向Ｈに複数配列しており、各蓄電セル８５は、電極板７７によって直列に接続されている。
【００４１】
そして、高さ方向Ｈの蓄電ユニット５７の上面側には、電極板７７Ａが配置されており、蓄電ユニット５７の下面側には、電極板７７Ｂが配置されている。
【００４２】
図６は、蓄電ユニット５７および導電板５８を示す斜視図である。枠体７６は、厚肉部５０，５１と、薄肉部５２，５３とを含み、枠体７６は枠状に形成されている。
【００４３】
厚肉部５０は端側面６３側に配置されており、厚肉部５１は端側面６２側に配置されている。厚肉部５０および厚肉部５１は、幅方向Ｗに延びるように形成されている。
【００４４】
薄肉部５２は長側面６４側に配置されており、薄肉部５３は長側面６５側に配置されている。薄肉部５２は厚肉部５０の一端および厚肉部５１の一端を接続し、薄肉部５３は厚肉部５０の他端と厚肉部５１の他端を接続する。
【００４５】
薄肉部５２，５３の高さ方向Ｈの厚さは、厚肉部５０，５１の高さ方向Ｈの厚さよりも薄い。
【００４６】
このため、厚肉部５０および厚肉部５１と、薄肉部５２の上面とによって凹部６６が形成されており、厚肉部５０および厚肉部５１と、薄肉部５２の下面とによって凹部６７が形成されている。
【００４７】
厚肉部５０および厚肉部５１と、薄肉部５３の上面とによって凹部６８が形成されており、厚肉部５０および厚肉部５１と、薄肉部５３の下面とによって凹部６９が形成されている。
【００４８】
そして、電極板７７Ａの上面と、薄肉部５２の上面と、薄肉部５３の上面とは面一となっており、電極板７７Ｂの下面と、薄肉部５２の下面と、薄肉部５３の下面とは面一となっている。
【００４９】
蓄電ユニット５７の上面側に配置される導電板５８は、電極板７７Ａに接触しており、蓄電ユニット５７と電気的に接続されている。同様に、蓄電ユニット５７の下面側に配置される導電板５８は、電極板７７Ｂに接触しており、蓄電ユニット５７と電気的に接続されている。
【００５０】
図７は、長側面６４側から蓄電スタック２５を視たときの側面図であり、蓄電スタック２５の一部を示す側面図である。蓄電ユニット５７および集電板５６を高さ方向Ｈに順次積層した状態において、高さ方向Ｈに凹部６６および凹部６７が対向し、この凹部６６および凹部６７内に導電板５８が配置されている。
【００５１】
図８は、導電板５８を示す側面図であり、図９は、導電板５８を示す分解斜視図である。
【００５２】
導電板５８は、高さ方向Ｈに配列する天板９１および底板９２と、天板９１および底板９２の間に配置された弾性板９３とを含む。なお、天板９１、底板９２および弾性板９３は、銅などの導電材料によって形成されている。
【００５３】
天板９１は、板部９５と、側壁９６，９７とを含む。側壁９６は、端側面６３側に位置する天板９１の側辺から下方に延び、側壁９７は、端側面６２側に位置する天板９１の辺から下方に延びるように形成されている。
【００５４】
底板９２は、板部１１０と、側壁１１１，１１２とを含む。側壁１１１は、板部１１０の端側面６３側の側辺から上方に延びるように形成されており、側壁１１２は、板部１１０の端側面６２側の側辺から上方に延びるように形成されている。
【００５５】
そして、弾性板９３は、波板状に形成されており、複数の凹凸が長手方向Ｌに配列すると共に、各凹凸が長手方向Ｌに延びるように形成されている。このように形成された弾性板９３が天板９１および底板９２の間に配置されることで、長手方向Ｌに配列する複数の冷却通路８８が導電板５８に形成されている。各冷却通路８８は、幅方向Ｗに延びるように形成されている。
【００５６】
そして、図４に示すように、複数の高さ方向Ｈに、複数の蓄電ユニット５７が配置されており、蓄電ユニット５７の間に導電板５８が配置されている。そして、導電板５８は、高さ方向Ｈに隣り合う蓄電ユニット５７を電気的に接続する。
【００５７】
なお、蓄電スタック２５の上面６１に配置された集電板５６の下面側には導電板５８が配置されており、下面６０に配置された集電板５５の上面にも集電板５６が配置されている。
【００５８】
図１０は、蓄電装置３を示す断面図であり、導電板５８を通る位置における断面図である。蓄電スタック２５は、蓄電ケース２６から間隔をあけて配置されており、蓄電スタック２５の長側面６４と、長側板３４の内壁面との間に隙間が形成されている。そして、端側板３２の開口部４０Ａに挿入された冷却ダクト５から冷却風Ｃが上記の隙間に供給されている。このように、蓄電スタック２５の長側面６４および長側板３４の間に形成された隙間は、通風路９０として機能する。冷却ダクト５から通風路９０内に供給された冷却風Ｃは、長側面６４に位置する冷却通路８８の開口部から冷却通路８８内に入り込む。
【００５９】
冷却通路８８内を冷却風Ｃが流れることで、導電板５８と高さ方向Ｈに隣り合う蓄電ユニット５７が冷却される。そして、冷却風Ｃは、長側面６５側の開口部から吹き出し、長側板３５の開口部４３などから蓄電装置３の外部に排気される。
【００６０】
このように、各導電板５８は、高さ方向Ｈに隣り合う蓄電ユニット５７を冷却する冷却板としても機能する。
【００６１】
図２において、底板３０の上面に絶縁部材２７が配置されており、この絶縁部材２７の上面に蓄電スタック２５が配置されている。蓄電スタック２５の上面６１に絶縁部材２８が配置され、絶縁部材２８の上面に天板３１が配置されている。
【００６２】
端側板３２，３３と、長側板３４，３５とが底板３０の上面および天板３１の下面に配置されている。
【００６３】
ここで、蓄電スタック２５に外力が加えられていない状態において、蓄電スタック２５の高さ方向Ｈの長さは、端側板３２，３３および長側板３４，３５の高さ方向Ｈの長さよりも長い。
【００６４】
そして、複数のボルト４５が底板３０と、端側板３２，３３と、長側板３４，３５とを締結し、さらに、複数のボルト４６が、天板３１を端側板３２，３３と、長側板３４，３５とに締結している。
【００６５】
ボルト４５およびボルト４６が、底板３０および天板３１を端側板３２，３３と、長側板３４，３５に締結することで、底板３０および天板３１が互いに高さ方向Ｈに近づき、蓄電スタック２５に高さ方向Ｈの拘束力を付与する。そして、蓄電スタック２５は、上記の拘束力によって高さ方向Ｈに押し縮められる。
【００６６】
図１１は、蓄電スタック２５に拘束力が加えられた後の状態における導電板５８およびその周囲の構成を示す側面図である。図１２は、蓄電スタック２５に拘束力Ｆなどの外力が加えられていない状態における側面図である。
【００６７】
図１１および図１２において、蓄電スタック２５に加えられた拘束力Ｆによって、弾性板９３が弾性変形している。そして、弾性板９３からの弾性力は、天板９１および底板９２から蓄電ユニット５７に付与されている。
【００６８】
そして、各導電板５８が押し縮められることで、各導電板５８から蓄電ユニット５７に弾性力が加えられ、この弾性力によって、蓄電スタック２５の各導電板５８および蓄電ユニット５７が高さ方向Ｈに配列した状態で固定される。
【００６９】
ここで、蓄電ユニット５７の製造ばらつきによって、蓄電ユニット５７の高さ方向Ｈに寸法バラツキが生じることが考えられる。
【００７０】
たとえば、高さ方向Ｈの寸法が所定寸法よりも小さい蓄電ユニット５７を蓄電スタック２５が含む場合には、蓄電スタック２５の高さ方向Ｈの寸法が小さくなる。
【００７１】
図１３は、高さ方向Ｈが所定寸法よりも小さい蓄電ユニット５７Ａを含む蓄電スタック２５Ａにおける側面図である。この図１３において、各導電板５８の高さ方向Ｈの長さは、図１１に示す導電板５８の高さ方向Ｈの長さよりも長い。
【００７２】
その一方で、製造ばらつきによって、蓄電スタック２５に、高さ方向Ｈの寸法が所定寸法よりも小さい蓄電ユニット５７Ａが設けられていたとしても、蓄電スタック２５Ａには複数の導電板５８が設けられているため、各導電板５８の弾性変形量の変化量は非常に小さい。そのため、各導電板５８が蓄電ユニット５７に加える弾性力の低下量が大きくなることを抑制することができる。
【００７３】
これにより、各導電板５８が蓄電ユニット５７に加える弾性力によって、積層された複数の導電板５８および蓄電ユニット５７を高さ方向Ｈに固定することができる。
【００７４】
上記のように構成された蓄電装置３において、組立時から長期間経過すると、枠体７６の樹脂がクリープ変形などして、蓄電ユニット５７の高さ方向Ｈの長さが小さくなることが考えられる。このような場合においても、各導電板５８の弾性変形量が僅かに小さくなる一方で、各導電板５８が蓄電ユニット５７に加える弾性力が大きく変動することが抑制されている。
【００７５】
次に、導電板５８の各種変形例について説明する。
（第１変形例）
図１４は、導電板５８の第１変形例である導電板５８Ａを示す側面図である。この導電板５８Ａは、天板９１および底板９２を備えておらず、弾性板９３によって形成されている。
【００７６】
この導電板５８Ａを備えた蓄電装置３においても、製造ばらつきにより蓄電ユニット５７に寸法バラツキが生じたとしても、各弾性板９３の変形量が調整され、各弾性板９３から蓄電ユニット５７に弾性力が付与される。これにより、複数の導電板５８Ａおよい蓄電ユニット５７が高さ方向Ｈに配列した状態で固定される。
（第２変形例）
図１５は、導電板５８の第２変形例である導電板５８Ｂを示す側面図である。この導電板５８Ｂは、天板９１と、底板９２と、天板９１および底板９２の間に配置された複数のコイルバネ１１３を含む。コイルバネ１１３は、底板９２および弾性板９３の間にアレイ状に配置されている。
【００７７】
この導電板５８Ｂにおいても、蓄電ユニット５７に寸法バラツキが生じたり、蓄電ユニット５７が経時的に変形したりしても、コイルバネ１１３が弾性変形することで、各蓄電ユニット５７に弾性力を加える状態を維持することができる。これにより、複数の導電板５８Ｂおよび蓄電ユニット５７が高さ方向Ｈに配列した状態で固定することができる。
（第３変形例）
図１６は、導電板５８の第３変形例である導電板５８Ｃを示す分解斜視図である。導電板５８Ｃには、複数の凸部１３０および凸部１３１を含む。凸部１３０は、上方に向けて突出するように形成されており、凸部１３１は下方に向けて突出するように形成されている。凸部１３０および凸部１３１は、互いに交互に、アレイ状に形成されている。
【００７８】
図１７は、導電板５８Ｃが設けられた蓄電スタック２５を示す側面図である。導電板５８Ｃは、蓄電ユニット５７間に配置されることで、導電板５８Ｃに対して上方側に配置された蓄電ユニット５７に、凸部１３０の上端部が接触する。凸部１３１の下端部が、導電板５８Ｃに対して下方に位置する蓄電ユニット５７に接触する。
【００７９】
そして、図２に示す底板３０および天板３１から加えられる拘束力によって、各凸部１３０および凸部１３１は弾性変形しており、導電板５８Ｃは、導電板５８Ｃと隣り合う蓄電ユニット５７に弾性力を付与している。
【００８０】
この蓄電スタック２５においても、蓄電ユニット５７に寸法バラツキが生じたり、蓄電ユニット５７が経時的に変形したりしても、凸部１３０，１３１が弾性変形することで、各導電板５８Ｃが蓄電ユニット５７に弾性力を加える状態を維持することができる。これにより、複数の導電板５８Ｃおよび蓄電ユニット５７が高さ方向Ｈに配列した状態が維持される。
（第４変形例）
図１８は、第４変形例に係る導電板５８Ｄを示す側面図である。この図１８に示す導電板５８Ｄは、導電板５８Ｃと、天板１３５と、底板１３６とを含む。導電板５８Ｃは、上記の第３変形例に係る導電板と同じ構成である。天板１３５は、導電板５８Ｃの上面側に配置されており、板状に形成されている。底板１３６は、導電板５８Ｃの下面側に配置されており、板状に形成されている。
【００８１】
底板１３６の長手方向Ｌの端部には、係合部１３８が形成されており、係合部１３８は、導電板５８Ｃの端辺を固定している。
【００８２】
上記のような導電板５８Ｄを備えた蓄電スタック２５においても、蓄電ユニット５７に寸法バラツキが生じたり、蓄電ユニット５７が経時的に変形したとしても、凸部１３０，１３１が弾性変形することで、各導電板５８Ｄが蓄電ユニット５７に弾性力を加える状態を維持することができる。これにより、複数の導電板５８Ｄおよび蓄電ユニット５７が高さ方向Ｈに配列した状態が維持される。
【００８３】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【００８４】
１  組電池、２  ベース板、３  蓄電装置、４  送風機、５  冷却ダクト、６  ジャンクションボックス、７  監視ユニット、８  ケース、８ａ  吸気口、８ｂ  供給口、９  ファン、１０，６０  下面、１１，６１  上面、１２，１３，６２，６３  端側面、１４，１５，６４，６５  長側面、１６，１７  電力端子、１８，１９  電力配線、２０  配線、２５，２５Ａ  蓄電スタック、２６  蓄電ケース、２７，２８  絶縁部材、３０，９２，１３６  底板、３１，９１，１３５  天板、３２，３３  端側板、３４，３５  長側板、４０，４０Ａ，４１，４２，４３  開口部、４５，４６  ボルト、５０，５１  厚肉部、５２，５３  薄肉部、５５，５６  集電板、５７，５７Ａ  蓄電ユニット、５８，５８Ａ，５８Ｂ，５８Ｃ，５８Ｄ  導電板、６６，６７，６８，６９  凹部、７５，７７，７７Ａ，７７Ｂ  電極板、７６，８１，８２  枠体、７８  正極層、７９  負極層、８０  外周縁部、８３  セパレータ、８４  収容空間、８５  蓄電セル、８８  冷却通路、９０  通風路、９３  弾性板、９５，１１０  板部、９６，９７，１１１，１１２  側壁、１００  フロアパネル、１１３  コイルバネ、１３０，１３１  凸部、１３８  係合部。
【図１】
2019216005.tif 000003
【図２】
2019216005.tif 000004
【図３】
2019216005.tif 000005
【図４】
2019216005.tif 000006
【図５】
2019216005.tif 000007
【図６】
2019216005.tif 000008
【図７】
2019216005.tif 000009
【図８】
2019216005.tif 000010
【図９】
2019216005.tif 000011
【図１０】
2019216005.tif 000012
【図１１】
2019216005.tif 000013
【図１２】
2019216005.tif 000014
【図１３】
2019216005.tif 000015
【図１４】
2019216005.tif 000016
【図１５】
2019216005.tif 000017
【図１６】
2019216005.tif 000018
【図１７】
2019216005.tif 000019
【図１８】
2019216005.tif 000020